【手続補正書】
【提出日】平成30年5月7日(2018.5.7)
【手続補正１】
【補正対象書類名】特許請求の範囲
【補正対象項目名】全文
【補正方法】変更
【補正の内容】
【特許請求の範囲】
【請求項１】
ネブライザ（１）によって噴霧される流体（２）を収容する容器（３）のための表示デバイス（２５）であって、
前記表示デバイス（２５）は、前記容器（３）を用いて実施されたか又は依然として可能な使用回数を計数する及び／又は表示するための表示要素（３５）を含み、
前記表示デバイス（２５）は、前記容器（３）の通気を開放するための穿孔部分（４８）を含み、及び／又は、
前記表示デバイス（２５）は、特に前記表示デバイス（２５）の挿入開口部（５４）を閉じるための、保護体（７４）及び／又はクロージャ（８６）を含む、
ことを特徴とする表示デバイス（２５）。
【請求項２】
前記穿孔部分（４８）は、起動されない場合又は最初の使用又は起動の前に、表示デバイス（２５）又はそのハウジング（３１）内に配置されることを特徴とする請求項１に記載の表示デバイス。
【請求項３】
前記穿孔部分（４８）は、好ましくは形状適合結合、スナップ結合、又は圧入により、又は板バネのような可撓性又は非可撓性懸架体により、又は破壊点により、好ましくは最初の起動又は使用の前に、非開放位置に保持されることを特徴とする請求項１又は請求項２に記載の表示デバイス。
【請求項４】
前記穿孔部分（４８）は、好ましくは最初の起動又は使用の前に、初期位置又は非開放位置に、特に支持構造（５５）の、１又は２以上の可撓性アーム（９１）によって保持されることを特徴とする請求項１から請求項３のいずれか１項に記載の表示デバイス。
【請求項５】
前記穿孔部分（４８）は移動可能であり、前記穿孔部分（４８）が関連の容器（３）を開放又は穿孔するために、特に通気開口部又は通気孔（２３）又は該容器（３）の関連のクロージャ又はホイル（５０）を開放又は穿孔するために、前記表示デバイス（２５）又はそのハウジング（３１）の外向きに突出することができることを特徴とする請求項１から請求項４のいずれか１項に記載の表示デバイス。
【請求項６】
前記穿孔部分（４８）は、先端（４９）を含むことを特徴とする請求項１から請求項５のいずれか１項に記載の表示デバイス。
【請求項７】
前記穿孔部分（４８）又はその先端（４９）は、１又は２以上の通気チャネル又は溝（５７）を含むことを特徴とする請求項１から請求項６のいずれか１項に記載の表示デバイス。
【請求項８】
前記穿孔部分（４８）及び／又は関連の支持構造（５５）が、公差又は軸線方向の過度の進行又は起動を補償するための補償部分、特に、１又は２以上の可撓性アーム（５６）を含み又はそれを形成することを特徴とする請求項１から請求項７のいずれか１項に記載の表示デバイス。
【請求項９】
前記１又は２以上のアーム（５６）は、半径方向に可撓性であることを特徴とする請求項８に記載の表示デバイス。
【請求項１０】
前記穿孔部分（４８）は、好ましくは形状適合結合、スナップ結合、又は圧入により、又は塑性的に変形した懸架体により、好ましくは最初の起動又は使用の後に、開放又は穿孔又は突出する位置に保持されることを特徴とする請求項１から請求項９のいずれか１項に記載の表示デバイス。
【請求項１１】
前記穿孔部分（４８）は、特に、好ましくは一体的に形成された付勢アーム、バネ、又は支持構造（５５）により、好ましくは後退又は非開放位置内に、付勢されることを特徴とする請求項１から請求項９のいずれか１項に記載の表示デバイス。
【請求項１２】
前記穿孔部分（４８）は、好ましくは一体的に形成されたバネを含み、及び／又はプラスチック及び／又は金属で作られることを特徴とする請求項１から請求項１１のいずれか１項に記載の表示デバイス。
【請求項１３】
前記穿孔部分（４８）は、軸線方向に移動可能であり、及び／又は軸線方向に案内され、及び／又はねじれながら案内されることを特徴とする請求項１から請求項１２のいずれか１項に記載の表示デバイス。
【請求項１４】
前記表示デバイス（２５）は、挿入開口部（５４）を含み、かつ予め決められた使用回数が到達されたか又は超過された時にロック状態で該挿入開口部（５４）を閉じるように構成されることを特徴とする請求項１から請求項１３のいずれか１項に記載の表示デバイス。
【請求項１５】
前記閉じた挿入開口部（５４）は、前記表示デバイス（２５）又は表示要素（３５）の起動又はトリガを防止し、及び／又は前記穿孔要素（４８）の起動を防止することを特徴とする請求項１４に記載の表示デバイス。
【請求項１６】
ネブライザ（１）のための容器（３）であって、
前記容器（３）は、流体（２）を収容し、
前記容器（３）は、前記容器（３）を用いて実施されたか又は依然として可能な使用回数を計数する及び／又は表示するための表示デバイス（２５）を含み、
前記表示デバイス（２５）は、前記容器（３）の通気を開放するための穿孔部分（４８）を含む、
ことを特徴とする容器（３）
【請求項１７】
前記表示デバイス（２５）は、前記容器（３）から分離不能であることを特徴とする請求項１６に記載の容器。
【請求項１８】
前記表示デバイス（２５）は、通気開口部又は通気孔（２３）に隣接して又はそれにわたって、又は前記容器（３）の関連のクロージャ又はホイル（５０）に隣接して配置されることを特徴とする請求項１６又は請求項１７に記載の容器。
【請求項１９】
前記表示デバイス（２５）は、請求項１から請求項１５のいずれか１項に従って設計又は構成されることを特徴とする請求項１６から請求項１８のいずれか１項に記載の容器。
【請求項２０】
流体（２）のためのネブライザ（１）であって、
前記流体（２）を収容する取替可能な容器（３）と、
前記容器（３）を受け入れるためのネブライザハウジング（２４）と、
前記容器（３）を取り替えるために前記ネブライザハウジング（２４）から取り外すか又は開くことができるハウジング部分（１８）と、
前記容器（３）を用いて実施されたか又は依然として可能な使用回数を計数する及び／又は表示するための表示デバイス（２５）と、
を含み、
好ましくは、前記容器（３）は、噴霧中に閉じた前記ネブライザハウジング（２４）内で軸線方向に移動可能であり、
前記表示デバイス（２５）は、前記容器（３）の通気を開放するための穿孔部分（４８）を含み、及び／又は
前記ネブライザ（１）は、前記表示デバイス（２５）を駆動又は起動又はトリガするための、並びに前記容器（３）を通気、開放、又は穿孔するか又は前記表示デバイス（２５）の穿孔部分（４８）を起動するための好ましくは静止駆動部分（５２）を含む、
ことを特徴とするネブライザ（１）。
【請求項２１】
前記駆動部分（５２）は、前記表示デバイス（２５）を駆動又は起動又はトリガするためにかつ前記容器（３）を開放又は穿孔するために、前記容器（３）又は表示デバイス（２５）に対して移動可能であることを特徴とする請求項２０に記載のネブライザ。
【請求項２２】
前記表示デバイス（２５）は、前記ネブライザ（１）の前記駆動部分（５２）の挿入を可能にする挿入開口部（５４）を含むことを特徴とする請求項２０又は請求項２１に記載のネブライザ。
【請求項２３】
前記表示デバイス（２５）は、最初の使用の前及び／又は前記表示デバイス（２５）と共に前記ネブライザ（１）内への前記容器（３）の挿入の前に、前記挿入開口部（５４）を閉じるための保護体（７４）又はクロージャ（８６）を含むことを特徴とする請求項２２に記載のネブライザ。
【請求項２４】
前記駆動部分（５２）は、特に前記ネブライザ（１）の最初の使用又は引張又は（完全な）閉鎖中に、前記保護体（７４）又はクロージャ（８６）を開放又は穿孔することを特徴とする請求項２３に記載のネブライザ。
【請求項２５】
前記表示デバイス（２５）は、表示要素（３５）と該表示要素（３５）を回転送りするための起動要素（３６）とを含み、
前記起動要素（３６）は、前記容器（３）を用いた予め決められた使用回数が到達されたか又は超過された時にロック状態で前記容器（３）の更なる使用を阻止するように構成され、
前記起動要素（３６）は、前記ロック状態で前記表示デバイス（２５）の前記挿入開口部（５４）を遮断又は閉鎖し、及び／又は
前記起動要素（３６）は、初期位置又は非穿孔位置に前記穿孔部分（４８）を保持する、
ことを特徴とする請求項２０から請求項２４のいずれか１項に記載のネブライザ。
【請求項２６】
前記穿孔部分（４８）は、軸線方向に移動可能であり、及び／又は起動されない場合に前記表示デバイス（２５）のハウジング（３１）の内側に位置付けられるか又は付勢されることを特徴とする請求項２０から請求項２５のいずれか１項に記載のネブライザ。
【請求項２７】
前記表示デバイス（２５）は、前記ロック状態で前記ネブライザ（１）内の前記容器（３）の更なる使用を阻止する阻止部分（６１）を含み、
前記阻止部分（６１）は、前記ロック状態で前記表示デバイス（２５）の挿入開口部（５４）を遮断又は閉鎖する、
ことを特徴とする請求項２０から請求項２６のいずれか１項に記載のネブライザ。
【請求項２８】
前記ネブライザ（１）は、前記駆動部分（５２）が前記穿孔部分（４８）を起動するように構成されることを特徴とする請求項２０から請求項２７のいずれか１項に記載のネブライザ。
【請求項２９】
前記表示デバイス（２５）は、前記容器（３）のハウジング（２９）と分離不能に接続されるが、前記表示デバイス（２５）が前記容器（３）と共に取替可能であるように前記ネブライザハウジング（２４）及びハウジング部分（１８）から分離可能であるハウジング（３１）を含むことを特徴とする請求項２０から請求項２８のいずれか１項に記載のネブライザ。
【請求項３０】
前記表示デバイス（２５）は、前記容器（３）のベース（２１）に及び／又は前記容器（３）の出口又はヘッド（２８）の反対側に固定的に配置され、及び／又は
前記表示デバイス（２５）は、前記容器（３）とスナップ結合及び／又は形状適合結合及び／又は物質間接合によって接続される、
ことを特徴とする請求項２０から請求項２９のいずれか１項に記載のネブライザ。
【請求項３１】
前記ネブライザ（１）は、取り外し可能ハウジング部分（１８）を含み、
前記表示デバイス（２５）は、前記ハウジング部分（１８）内に位置付けられるか又は前記ハウジング部分（１８）内で移動可能である、
ことを特徴とする請求項２０から請求項３０のいずれか１項に記載のネブライザ。
【請求項３２】
前記容器（３）は、請求項１６から請求項１９のいずれか１項に従って構成され、及び／又は
前記表示デバイス（２５）は、請求項１から請求項１５のいずれか１項に従って構成される、
ことを特徴とする請求項２０から請求項３１のいずれか１項に記載のネブライザ。